(57)【要約】      （修正有）【課題】簡単な部分構成の改変を加えるだけでどのような型式の鋏に対しても適用することができて、周りの毛髪を無闇に切断することなく狙いを定めた特定の白髪などのむだ毛だけを確実に根元から切りとることのできる鋏を提供する【解決手段】鋏身と指掛けとが柄を介して一体化されてなり、二つの鋏身の裏面同士を対向させるとともに、二つの鋏身を支軸で枢支してなる鋏において、少なくとも一方の鋏身１には、刃先先端部を越えて外方に伸びるとともに、略直角方向内側に伸びる鉤状部２１が備えられている。また、鉤状部を鋏身と一体構造とすることもでき、鋏身とは別体であって、鉤状部を備えるＬ形鉤状部材を鋏身に固着して一体構造とすることもできる。【選択図】図２
0003188268.tif 000002
【実用新案登録請求の範囲】
【請求項１】
鋏身と指掛けとが柄を介して一体化されてなり、二つの鋏身の裏面同士を対向させるとともに、二つの鋏身を支軸で枢支してなる鋏において、少なくとも一方の鋏身には、刃先先端部を越えて外方に伸びるとともに、略直角方向内側に伸びる鉤状部が備えられている、ことを特徴とする鋏。
【請求項２】
該鉤状部が該鋏身と一体構造である、ことを特徴とする請求項１に記載される鋏。
【請求項３】
該鉤状部が該鋏身とは別体であって、該鉤状部を備えるＬ形鉤状部材が該鋏身に固着されて一体構造をなす、ことを特徴とする請求項１に記載される鋏。
【考案の詳細な説明】
【技術分野】
【０００１】
本考案は、鋏の分野、特に白髪切り用として好適な鋏の分野に属する。
【背景技術】
【０００２】
頭髪に白髪が一本でも見つかると、若い女性に限らず大いに気になるものである。そのような場合、得てして毛抜きで抜いて済ませてしまうことが多いが、毛を抜くことは本人にとって疼痛を伴うだけでなく毛根を傷つけたり炎症を誘発したりするので皮膚にとって決して好ましいことではない。また、少ない白髪を目立たなくするためにわざわざ頭髪全体を染めるのも大げさである。また、眉毛に出てくる白髪や癖毛も大いに気になる。そして、陰毛の白髪も精神衛生上よろしくない。
【０００３】
そのような事情から、毛根を残して白髪だけを根元から切る工夫がなされているが、普通の鋏を使って行うとどうしても白髪の周りの正常な毛髪まで同時に切ってしまうおそれが大きかった。そこで、白髪だけを根元から確実に切ることのできる鋏やカッターが考案されてきている。
【０００４】
例えば、特開平９−７５５６１号公報（特許文献１）に記載される考案は、刃部２の先端の閉塞重なり部７と切れ口６との間に円弧状切欠部８を設けてなるものである。白髪を片手でつまみ上げたところで鋏本体１をやや開いた状態で白髪に近づけ、閉塞重なり部７間の隙間から円弧状切欠部８に誘導して鋏本体を閉じると、閉塞重なり部７同士が重なるのに伴い白髪のみが円弧状切欠部８同士が形成する捕捉スライド開口部９で捕捉されることになる。鋏本体を閉じたまま白髪の根元まで移動させ、鋏本体１を僅かに開きながら前方に押しやり白髪の根元を切れ口６側に導入する。そして鋏本体１を閉じれば白髪だけを根元で切断することができるようになっている。しかし、この構成は刃部２の先端部に円弧状切欠部８と閉塞重なり部７とを設けなければならないので、通常の鋏に比べて製作工数が大幅に増えてしまうという問題があった。また、白髪を開口部９で捕捉する際に鋏を一旦閉じ、白髪の根元まで移動させた後鋏を僅かに開きながら前方に押しやるという不自然で厄介な動作を経なければ、白髪を根元で切断することができないという操作上の問題点をも有していた。
【０００５】
特開２００７−２１５９７６号公報（特許文献２）に記載される考案は、鋏本体１のどちらか片方の先端刃部３に、細長状の切り込み部４を設けた白髪固定部２を固着してなるものであって、片手でつまみ上げた白髪６を白髪止め部５まで挿入した後、鋏本体１を白髪６に沿って頭部に密着するまで下降し、そこで白髪固定部２に内蔵された先端刃部３で白髪だけを切断するものである。しかし、このものは白髪固定部２が予想以上に嵩張る上に、先端刃部３への固着態様が難しいという難点がある。また、白髪固定部２が嵩張ることにより、片手でつまみ上げた白髪６を白髪止め部５まで挿入した後、鋏本体１を白髪６に沿って頭部に密着するまで下降させた時に、白髪周りのふくよかな黒髪を無理に寝かせてしまうという問題があり、これに伴い、白髪を真の意味で根元から切断することができないという難点があった。
【先行技術文献】
【特許文献】
【０００６】
【特許文献１】特開平９−７５５６１号公報
【特許文献２】特開２００７−２１５９７６号公報
【考案の概要】
【考案が解決しようとする課題】
【０００７】
この考案が解決しようとする課題は、どのような型式の鋏に対しても簡単な部分構成の改変を加えるだけで適用することができて、狙いを定めた特定の毛髪、例えば白髪、だけを周りの毛髪を無闇に切断することなく確実に根元から切ることのできる鋏を提供することにある。また、毛髪の長さに影響されない、即ち、女性の長い髪はもとより眉毛程度の短いむだ毛にも適用し得る鋏を提供することにある。
【課題を解決するための手段】
【０００８】
鋏身と指掛けとが柄を介して一体化されてなり、二つの鋏身の裏面同士を対向させるとともに、二つの鋏身を支軸で枢支してなる鋏において、少なくとも一方の鋏身には、刃先先端部を越えて外方に伸びるとともに、略直角方向内側に伸びる鉤状部が備えられている、ことを特徴とする鋏。
【０００９】
該鉤状部が該鋏身と一体構造である、ことを特徴とする請求項１に記載される鋏。
【００１０】
該鉤状部が該鋏身とは別体であって、該鉤状部を備えるＬ形鉤状部材が該鋏身に固着されて一体構造をなす、ことを特徴とする請求項１に記載される鋏。
【考案の効果】
【００１１】
頭髪に発生した長い白髪を片手で摘み上げて本考案の鋏をやや開いた状態で白髪に近づけ、白髪を鋏の捕捉空間内に取り込んだ後、鋏をやや閉じて白髪を捕捉空間内に隔離収容する。その状態で鋏を頭皮に触れるまで下降し、そのまま自然に鋏を閉じると摘み上げられた白髪だけがその根元から切断される。その際、捕捉空間内に周りの頭髪が入り込む事はまずあり得ないから、狙いを定めた白髪だけを確実に根元から切断することができる。
そして、鋏の構造が単純であるから製造が容易であり、白髪を捕捉したり切断したりする動作が一連の閉じ動作としてなされるから、操作に無理や無駄が全くなく鋏の取り扱いを楽に行うことができる。
本願考案にかかる鋏は、頭髪、眉毛や陰毛などに発生した白髪や癖毛などのむだ毛を一人で取り除くのに、使って便利である。また、家庭にあっては子供に白髪取りをさせて小遣いをあげるとかすれば、親孝行の気持ちが自然に身につきお金を稼ぐことの面白さを知るようにもなる。夫婦で白髪取りを行えば本来不愉快な白髪が転じて愛情の絆に変わらないとも限らないのである。何より、毛根を残して目立たなくしておいた白髪が黒髪に戻れば、喜びはこの上なく、精神衛生上の効果は計り知れないものがある。
【図面の簡単な説明】
【００１２】
【図１】図１は、本考案を適用した鋏を完全に閉じた状態図である。
【図２】図２は、本考案を適用した鋏をやや開いた状態図である。
【図３】図３は、本考案を適用した別の型式の鋏をやや開いた状態図である。
【図４】図４は、図１、２に示される鋏の鋏身部の部分図である。
【図５】図５は、図４の鋏身部の上面図である。
【図６】図６は、鋏身部を示す他の例である。
【図７】図７は、図６の鋏身部の上面図である。
【図８】図８は、図３に示す型式の鋏の鋏身部を示すその他の例である。（ａ）は鋏をやや開いた状態図、（ｂ）は鋏を完全に閉じた前面状態図である。
【図９】図９は、図３に示す型式の鋏の鋏身部を示すその他の例である。
【考案を実施するための形態】
【００１３】
本考案の基本的形態は、狙いを定めた特定の毛髪、例えば白髪、だけを周りの毛髪を無闇に切断することなく確実に根元から切ることのできる鋏を提供することを一つの課題として、鋏身と指掛けとが柄を介して一体化されてなり、二つの鋏身の裏面同士を対向させるとともに、二つの鋏身を支軸で枢支してなる鋏において、少なくとも一方の鋏身には、刃先先端部を越えて外方に伸びるとともに、略直角方向内側に伸びる鉤状部が備えられている鋏、とすることにあるが、以下、詳細に説明する。
【実施例】
【００１４】
図１は、本考案を適用した鋏を完全に閉じた状態図である。鋏身１と鋏身２とは裏面同士が背中合わせに配され、支軸１０により枢動自在に支承されている。鋏身１は柄６により指掛け３と一体化され、鋏身２は柄７により親指掛け４と一体化されている。鋏身１の先端には鉤状部２１が一体化されている。鋏が完全に閉じた状態では、指掛け３が親指掛け４に設けたヒットポイント５と接触しており、一方、鋏身１と鋏身２とは鉤状部２１を除く先端部で互いに若干重なっている。鋏身１には平面からなる表面８が形成されており、表面８から裏面９にかけて形成された急傾斜面２２により、鋏の切断に直接寄与する刃先部２８が形成されている。
【００１５】
図２は、図１図示の鋏をやや開いた状態を表している。図１には現れていないが、鋏身２の刃先部２８が明瞭である。鋏身１と鋏身２の刃先部２８とが交叉した点で切断力が発生するから、刃先部２８の交叉する点の何処でも切断が可能な構造になっている。鋏身２では刃先部２８の刃先先端部２９が鋏身２の先端と一致し、鋏身１では刃先部２８の刃先先端部２９が鋏身１に設けた鉤状部２１の付け根と一致している。鋏身２を開閉するときに刃先先端部２９が軌跡Ｓを描くが、鋏身１、２と鉤状部２１とが形成する捕捉空間２７が重要な意味を持っている。白髪を摘み上げて鋏をやや開いた図示の状態で白髪に近づけ、白髪を鋏身２と鉤状部２１との隙間から捕捉空間２７に導き入れた後に鋏をやや閉じると、白髪は鋏身２と鉤状部２１とにより形成される捕捉空間２７内に収容されて他の毛髪から隔離される。この状態から鋏を頭皮に触れるまで下降させ、更に鋏を閉じれば、白髪だけを根元で切断することができるのである。鉤状部２１の外面形状は肌を傷つけることがないよう滑らかになっていなければならない。
【００１６】
図３は、本考案を適用した別の型式の鋏を示している。図２のものとの相違点は２つ有り、１つは鋏身１と一体の指掛け３が大きくなっており複数本の指を入れることができるようになっている点である。もう一点は、鋏身１の表面８から裏面９にかけて、幅広の緩傾斜面２３が形成され、それに続く急傾斜面２２によって、鋏の切断に直接寄与する刃先部２８が形成されている点である。
【００１７】
図４は、図１、２に示される鋏身１の部分図である。鋏身１に備わる背部２０と刃先部２８とは直線に限らずやや丸みを帯びた曲線状になっていても良いことを示している。
【００１８】
図５は図４を刃先部２８の方向から見た図を示している。鋏身１はほぼ同じ厚みを有しており急傾斜面２２は鉤状部２１の付け根まで伸びている。鉤状部２１は刃先先端部２９から紙面上方に伸びている。鋏身１は微視的に見れば裏面９側にやや反った形状を呈しているのであるが、鋏の鋏身の裏面形状は種々の工夫が凝らされたものも多く、本件考案の主要な構成とは関連が薄いのでこれ以上の説明はしない。
【００１９】
図６は、本考案を適用した鋏身部を示す他の例である。ここで特徴的なのは鉤状部２１が鋏身１と一体構造ではない点である。鉤状部２１と同等の機能を果たすべく用意されたＬ形鉤状部材２４は、鋏身方向に伸びる根本部２５とこれにほぼ直角方向に伸びる鉤状部２６とからなるほぼＬ形形状を呈している。Ｌ形鉤状部材２４は急傾斜面２２と干渉しないように、鋏身１の平面状の表面８に固着されている。固着手段としては接着、溶着、鑞付け、溶接、リベット止めやねじ止め等、周知の固着手段を適用することができる。Ｌ形鉤状部材２４の材質は鋏身１の材質と必ずしも同じである必要はなく、合成樹脂、象牙、鼈甲、貴金属、卑金属、スチール等の合金等、周知の材料から適宜選択する事ができる。
【００２０】
図７は、図６を鋏身１の急傾斜面２２の方向から眺めた図を示している。鋏身１はほぼ同じ厚みを有しており急傾斜面２２は鋏身１の刃先先端部２９まで続いている。Ｌ形鉤状部材２４は根本部２５で鋏身１の平面状の表面８に固着されており、その鉤状部２６は刃先先端部２９から紙面上方に伸びている。従って鋏身１とＬ形鉤状部材２４とは積層構造をなしている。鋏身１は微視的に見れば裏面９側にやや反った形状を呈しているのであるが、鋏の鋏身の裏面形状は種々の工夫が凝らされたものも多く、本件考案の主要な構成とは関連が薄いのでこれ以上の説明はしない。
【００２１】
図８は図３に示す型式の鋏の鋏身部を示すその他の例である。鋏身１の表面８から裏面９にかけて、幅広の緩傾斜面２３が形成され、それに続く急傾斜面２２によって、鋏の切断に直接寄与する刃先部２８が形成されている。Ｌ形鉤状部材２４は急傾斜面２２と干渉しない位置を保つよう、根本部２５で鋏身１に設けられた緩傾斜面２３に固着されている。（ｂ）を参照すれば明らかなように、Ｌ形鉤状部材２４の根本部２５と鉤状部２６とはほぼ緩傾斜面２３の傾斜角に対応した角度関係をなしている。Ｌ形鉤状部材２４の根本部２５と鉤状部２６とが特定の角度関係を有していなくとも白髪の捕捉に大きな支障を来すことはないが、人が鋏を持って作業をするときには当然の如く視覚に頼るので、違和感を与えないようにするには、Ｌ形鉤状部材２４の根本部２５と鉤状部２６とが相応の角度関係を持っていることが好ましい。
【００２２】
図９は図３に示す型式の鋏の鋏身部を示すその他の例である。その特徴点は、図３のものと同様鋏身に鉤状部２１を一体に設けていることと、鋏身１および鋏身２の双方に鉤状部２１を設けている点である。鋏身の一方のみに鉤状部或いはＬ形鉤状部材を設けた鋏では、鉤状部或いはＬ形鉤状部材が設けられていない方の鋏身との干渉に細かな気を遣う必要はあまりないのであるが、双方の鋏身の先端部に鉤状部或いはＬ形鉤状部材を設けた鋏では、鉤状部或いはＬ形鉤状部材同士が干渉することを避けることに配慮した設計をする必要がある。また、双方の鋏身に鉤状部或いはＬ形鉤状部材を設けることは製造工程数が増えるという欠点を伴うが、一面、デザイン的に見ると鋏身が左右対称となり見た目のバランスが良いという利点がある。勿論、白髪切りの効果に大きな影響を及ぼすことはない。
【００２３】
本願考案にかかる鋏は、頭髪、眉毛や陰毛などに発生した白髪や癖毛などのむだ毛を一人で取り除くのに、使って便利である。また、家庭にあっては子供に白髪取りをさせて小遣いをあげるとかすれば、親孝行の気持ちが自然に身につきお金を稼ぐことの面白さを知るようにもなる。夫婦で白髪取りを行えば本来不愉快な白髪が転じて愛情の絆に変わらないとも限らないのである。
【産業上の利用可能性】
【００２４】
この考案がむだ毛切り専用の美容用鋏という新たな一つの鋏の分野を開拓した意義は大きい。また、近年子供に蔓延している頭ジラミの卵が産み付けられた毛髪の除去に用いれば薬剤によるシラミ除去回数の低減に寄与することもできる。
この考案に係る鋏は、製造が容易な上に、むだ毛切り時の鋏の操作が自然な流れに則ったものであるから、一般家庭の常備品として、また携帯用として、広く普及することが大いに期待される。
【符号の説明】
【００２５】
１        鋏身
２        鋏身
３        指掛け
４        親指掛け
５        ヒットポイント
６        柄
７        柄
８        表面
９        裏面
１０      支軸
２０      背部
２１      鉤状部
２２      急傾斜面
２３      緩傾斜面
２４      L形鉤状部材
２５      根本部
２６      鉤状部
２７      捕捉空間
２８      刃先部
２９      刃先先端部
S        刃先先端部が描く枢動軌跡
【図１】
0003188268.tif 000003
【図２】
0003188268.tif 000004
【図３】
0003188268.tif 000005
【図４】
0003188268.tif 000006
【図５】
0003188268.tif 000007
【図６】
0003188268.tif 000008
【図７】
0003188268.tif 000009
【図８】
0003188268.tif 000010
【図９】
0003188268.tif 000011